(57)【要約】【課題】使い勝手がよく、しかも経済的なマッサージ機を得ることにある。【解決手段】圧迫帯１０は面ファスナー１３，１４人体の下腿部に着脱自在に巻き付けられる。膨縮可能な空気袋１５は圧迫帯の内部に設けられている。駆動装置２０は空気供給部１６を有しており、この空気供給部１６を介して空気袋１５に空気を供給する。圧迫帯１０は、人体と接触させて左脚６０Ｌの下腿部に巻き付けられる第１の巻き付け面１１ａと、人体と接触させて右脚６０Ｒの下腿部に巻き付けられる第２の巻き付け面１２ａとを有し、両巻き付け面１１ａ，１２ａで圧迫帯１０の表裏両面が形成されている。【選択図】    図３
2004147948.tif 000002
【特許請求の範囲】
【請求項１】
人体の施療部位に着脱自在に巻き付けられる圧迫帯と、
前記圧迫帯の内部に設けられた膨縮可能な空気袋と、
空気供給部を有し、この空気供給部を介して前記空気袋に空気を供給する駆動装置と、
前記圧迫帯の両端部に互いに着脱可能に設けられ、前記圧迫帯を施療部位に巻き付けた状態を保持する保持手段と、を具備し、
前記圧迫帯は、人体と接触させて施療部位に巻き付けられる第１の巻き付け面と、人体と接触させて施療部位に巻き付けられる第２の巻き付け面とを有し、前記両巻き付け面で前記圧迫帯の表裏両面が形成されているマッサージ機。
【請求項２】
前記駆動装置は前記圧迫帯の外部に設置されており、前記空気供給部は前記圧迫帯の縁部を通って前記空気袋と連通している請求項１に記載のマッサージ機。
【発明の詳細な説明】
【０００１】
【発明の属する技術分野】
本発明は、圧迫帯を人体に巻き付けて装着し、この圧迫帯に設けられた空気袋の膨縮で人体の施療部位をマッサージするマッサージ機に関する。
【０００２】
【従来の技術】
マッサージ機としては、従来、人体の腿部若しくはふくらはぎ部等、脚部に巻き付けられて、脚部を外側から押圧するようにして使用される健康用脚部バンドが知られている。この健康用脚部バンドは、内部に空気が充填される袋状体と、この袋状体を脚部に止めるためのストッパとしての一対の面ファスナーと、袋状体に空気を供給する空気供給手段としてのバルブ付きエアポンプとを具備している。
【０００３】
袋状体は内側層と外側層とを備えて構成されている。内側層及び外側層の内側には袋が形成されており、袋の内側には帯状のゴムチューブが配置されている。ゴムチューブは内部に充填された空気を抜くための空気抜き用細孔が設けられている。ゴムチューブの一端にはパイプ状の連結部材が取り付けられており、この連結部材にゴムホースを介してバルブ付きエアポンプが連結されている。ゴムホースは連結部材と着脱自在になっている。袋状体の一端部の外側（表側）には係着する一対の面ファスナーのうちの一方の面ファスナーが設けられている。また、袋状体の他端部の内側（裏側）には他方の面ファスナーが設けられている。
【０００４】
この健康用脚部バンドは、以下のようにして使用する。まず、袋状体を脚部に巻いた後、両端部の面ファスナーを互いに重ね合わせて係着させ、バルブを閉じた状態でエアポンプによりゴムチューブ内にエアを送る。ゴムチューブ内が適度な圧力に達した時点でエアの供給を止めることで脚部を押圧する。ゴムチューブ内のエアは１５分〜３０分位で自然に排気される（例えば、特許文献１参照。）。
【０００５】
【特許文献１】
特開２０００−１６９４２９号公報（第２−４頁、図２）
【０００６】
【発明が解決しようとする課題】
ところで、人体の左脚と右脚とは互いに体軸を境に略線対称となっており、両脚の下腿の横断面形状は、前端に行く程細く、後側が丸みを帯びて太くなっているとともに、前端寄りの内側部分は少し凹んだ形状をなしている。そして、この横断面形状に対応して、従来の脚部バンドでは、通常、左脚の下腿に対応する左脚用の脚部バンドと右脚の下腿に対応する右脚用の脚部バンドとを用意して、それらを使い分けるようになっているので不便であり、又、製造においても両脚用を別々に作る必要があるので不経済である。
【０００７】
一方、１つの脚部バンドで左脚及び右脚に対応させてマッサージする場合は、左脚に装着するときと右脚に装着するときとで脚部に対する一対の面ファスナーの重ね合わせ位置を変えて使用するので使い勝手がよくない。
【０００８】
すなわち、例えば、ふくらはぎ部の真中から外側にずれた位置をマッサージする場合を以下説明する。左脚のふくらはぎ部の真中から外側にずれた位置をマッサージする左脚用の脚部バンドは、袋状体を脛部で一対の面ファスナーを重ね合わせるようにして左脚の下腿部に装着したときに袋がふくらはぎ部の真中から外側にずれた位置と対向するように配設されている。したがって、この左脚用の脚部バンドを、袋状体を脛部で一対の面ファスナーを重ね合わせるようにして右脚の下腿部に装着した場合、袋がふくらはぎ部の真中から内側にずれた位置に配設されてしまう。
【０００９】
このため、袋がふくらはぎ部の真中から外側にずれた位置と対向する位置となるように脚部バンドを装着できるようにするためには、既述のように袋状体を脛部で一対の面ファスナーを重ね合わせるようにして左脚の下腿部に装着したときに袋がふくらはぎ部の真中から外側にずれた位置と対向するように配設された左脚用の脚部バンドと、袋状体を脛部で一対の面ファスナーを重ね合わせるようにして右脚の下腿部に装着したときに袋がふくらはぎ部の真中から外側にずれた位置と対向するように配設された右脚用の脚部バンドとを用意する必要がある。
【００１０】
一方、左脚用の脚部バンドを右脚に使用して、或いは、右脚用の脚部バンドを左脚に使用して、袋をふくらはぎ部の真中から外側にずれた位置に対向させるためには、一対の面ファスナーを重ね合わせる位置を脛部から真中から内側にずらして装着する調整が必要である。
【００１１】
本発明が解決しようとする課題は、使い勝手がよく、しかも経済的なマッサージ機を得ることにある。
【００１２】
【課題を解決するための手段】
前記課題を解決するために、本発明のマッサージ機は、人体の施療部位に着脱自在に巻き付けられる圧迫帯の内部に駆動装置により供給部を介して空気が供給される膨縮可能な空気袋が設けられているとともに、圧迫帯を施療部位に巻き付けた状態を保持する保持手段が圧迫帯の両端部に互いに着脱可能に設けられており、前記圧迫帯の表裏両面は、人体と接触させて施療部位に巻き付けられる第１の巻き付け面と、人体と接触させて施療部位に巻き付けられる第２の巻き付け面とで形成されている。
【００１３】
この発明によれば、圧迫帯を、体軸を境にして左側の施療部位に装着するときは、第１の巻き付け面と第２の巻き付け面との内の一方の面を前記左側の施療部位と接触させて巻き付ければよい。又、圧迫帯を、体軸を境にして右側の施療部位に装着するときは、第１の巻き付け面と第２の巻き付け面との内の他方の面を前記右側の施療部位と接触させて巻き付ければよい。このように、圧迫帯の第１の巻き付け面と第２の巻き付け面とを使い分けることで、左右の施療部位に対する保持手段の重ね位置を変えることなく、その空気袋を体軸に対して対称に位置させることができる。
【００１４】
【発明の実施の形態】
以下、図１〜図３を参照して本発明の第１の実施形態を説明する。
【００１５】
本実施形態に係るマッサージ機１は、例えばふくらはぎ部６１の真中から外側にずれた位置をマッサージするものであって、図１に示すように、圧迫帯１０、空気袋１５、及び駆動装置２０等を備えて構成されている。
【００１６】
圧迫帯（以下、カフという）１０は、一対の帯部材１１，１２、及び保持手段としての互いに係着する一対の面ファスナー１３，１４等を備えている。
【００１７】
一対の帯部材１１，１２は、例えば合成繊維等からなる。これら帯部材１１，１２のうち、例えば帯部材１１の一方の面が人体と接触させて施療部位である左脚６０Ｌの下腿部に巻き付けられる第１の巻き付け面１１ａとなり、他方の帯部材である帯部材１２の一方の面が人体と接触させて施療部位である右脚６０Ｒの下腿部に巻き付けられる第２の巻き付け面１２ａとなる。これら帯部材１１，１２は、第１巻き付け面１１ａと第２巻き付け面１２ａを外側に向けて重ね合わせ、内部に後述する空気袋１５を収容する収容空間Ｓを中央部から一端側にずれた位置に設けた状態で縫合又は接着等されている。これにより、カフ１０は、第１巻き付け面１１ａと第２巻き付け面１２ａとで表裏両面が形成されることとなる。
【００１８】
一対の面ファスナー１３，１４は、カフ１０を左脚６０Ｌ或いは右脚６０Ｒの下腿部に巻き付けた状態を保持するものであり、カフ１０の両端部に互いに着脱可能に設けられている。例えば、一対の面ファスナー１３，１４は、図２に示すように、一方の面ファスナー１３が帯部材１２の第２巻き付け面１２ａの空気袋１５側の一端部に取り付けられており、他方の面ファスナー１４が帯部材１１の第１巻き付け面１１ａの空気袋１５側とは反対側の他端部に取り付けられている。なお、一方の面ファスナー１３を帯部材１２の第２巻き付け面１２ａの空気袋側とは反対側の他端部に取り付け、他方の面ファスナー１４を帯部材１１の第１巻き付け面１１ａの空気袋１５側の一端部に取り付けてもよい。
【００１９】
空気袋１５はカフ１０に設けられた前記収容空間Ｓ内に収容されている。したがって、この空気袋１５は、図２に示すように、中央部から一端側にずれた位置にずれた位置に配設される。また、この空気袋１５には図示しない排気弁が設けられている。
【００２０】
駆動装置２０は、図示しないが、操作部、制御部、及びエアーコンプレッサ等の各種部品を備えている。この制御装置２０は、これら各種部品が直方体形状のパッケージ２１に収容されてユニット化されている。この駆動装置２０は、カフ１０と別体で設けられている。なお、駆動装置２０は、カフ１０の縁部等、帯部材１１の第１の巻き付け面１１ａを左脚６０Ｌの下腿部に巻き付けた状態と帯部材１２の第２の巻き付け面１２ａを右脚６０Ｒの下腿部に巻き付けた状態との双方において巻き付けた脚の下腿部に干渉しない位置であれば、カフ１０と一体に形成してもよい。
【００２１】
操作部は、図示しないが、例えば電源釦やマッサージ強度設定釦等を備えており、これらの操作釦を入力操作することで各種マッサージ情報を制御部に指示するものである。
【００２２】
マイクロコンピュータからなる制御部は、操作部、エアーコンプレッサ、及び空気袋１５と夫々接続している。この制御部は操作部で入力されたマッサージ情報に従ってエアーコンプレッサの駆動・停止、及び空気袋１５の排気弁の開閉を制御する。
【００２３】
エアーコンプレッサは空気袋に空気を供給するものである。このエアーコンプレッサは、例えば、空気の吐出・休止を周期的に繰り返すものであり、１回に吐出される空気量及び吐出・休止の周期は前記マッサージ情報に従って制御部で制御される。
【００２４】
このエアーコンプレッサの空気吐出口には例えばフレキシブルチューブからなる空気供給部１６の一端が連通されている。この空気供給部１６の他端はパッケージ２１の外側に延出しており、図１及び図２に示すように、カフ１０の上縁部を通って空気袋１５と連通している。なお、空気供給部１６は、カフの下縁部或いは面ファスナー１３が取り付けられている一端側の縁部を通して空気袋１５と連通させてもよい。
【００２５】
上記構成のマッサージ機１は、以下のようにしてマッサージを行う。
【００２６】
まず、カフ１０を脚に装着する。左脚６０Ｌをマッサージする場合は、空気供給部１６を上方に向け、図３（Ａ）に示すように、第１の巻き付け面１１ａを左脚６０Ｌの下腿部に接触させ、脛部６２で一対の面ファスナー１３，１４を重ね合わせるようにしてカフ１０を装着する。これにより、空気袋１５が左脚６０Ｌのふくらはぎ部６１の真中から外側にずれた位置と対向するように配設される。
【００２７】
また、右脚６０Ｒをマッサージする場合は、空気供給部１６を上方に向け、図３（Ｂ）に示すように、第２の巻き付け面１２ａを右脚６０Ｒの下腿部に接触させ、脛部６２で一対の面ファスナー１３，１４を重ね合わせるようにしてカフ１０を装着する。これにより、空気袋１５が右脚６０Ｒのふくらはぎ部６１の真中から外側にずれた位置と対向するように配設される。
【００２８】
操作部の電源釦を操作すると、エアーコンプレッサが駆動し、これに伴って、空気袋１５の膨縮が開始される。エアーコンプレッサが空気を供給すると空気袋１５が膨張し、これに伴いふくらはぎ部６１の真中から外側にずれた位置が圧迫される。エアーコンプレッサが空気の吐出を休止すると、制御部は空気袋１５の排気弁を開く。空気袋１５の空気が排出され、これに伴い、ふくらはぎ部６１の真中から外側にずれた位置が弛緩される。このマッサージ機１では、この圧迫・弛緩によりふくらはぎ部６１の真中から外側にずれた位置をマッサージする。マッサージを終了させたい場合は、操作部の電源釦を操作して、エアーコンプレッサの駆動を停止させる。
【００２９】
上述のように、このマッサージ機１では、左右の施療部位に対する面ファスナー１３，１４の重ね位置を変えることなく、空気袋１５を体軸に対して対称に位置させることができる。
【００３０】
すなわち、このマッサージ機１は、人体と接触させて左脚６０Ｌの下腿部に巻き付けられる第１の巻き付け面１１ａと人体と接触させて右脚６０Ｒの下腿部に巻き付けられる第２の巻き付け面１２ａとを有し、両巻き付け面１１ａ，１２ａで表裏両面が形成されている、つまり、このマッサージ機１は、いわゆるリバーシブルに形成されている。
【００３１】
そのため、このマッサージ機１では、体軸を境にして左側の施療部位である左脚６０Ｌに装着するときは、カフ１０を第１巻き付け面１１ａを左脚６０Ｌと接触させて巻き付ける。また、体軸を境にして右側の施療部位である右脚６０Ｒに装着するときは、カフ１０を第２の巻き付け面１２ａを右脚６０Ｒと接触させて巻き付ける。このように、カフ１０の第１の巻き付け面１１ａと第２の巻き付け面１２ａとを使い分けることで、左脚６０Ｌと右脚６０Ｒとに対する面ファスナー１３，１４の重ね位置を変えることなく、空気袋１５を体軸に対して対称に位置させることができる。したがって、このマッサージ機１は、既述のように、使い勝手がよく、しかも１つで左脚６０Ｌ及び右脚６０Ｒの両方をマッサージできるので、製造において両脚用を別々に作る必要がなく経済的である。
【００３２】
また、このマッサージ機では、駆動装置２０はカフ１０の外部に設けられており、空気供給部１６はカフ１０の縁部を通って空気袋１５と連通しているので、第１の巻き状態及び第２の巻き状態の双方において空気供給部１６が巻き付けの妨げとなり難い。
【００３３】
なお、本発明のマッサージ機は、ふくらはぎ部をマッサージするものに限定されるものではなく、例えば、腿部や腕部等をマッサージするマッサージ機にも適用できる。
【００３４】
【発明の効果】
本発明によれば、使い勝手がよく、しかも経済的なマッサージ機が得られる。
【図面の簡単な説明】
【図１】本発明の第１実施形態に係るマッサージ機の使用状態を示す斜視図。
【図２】図１のマッサージ機を示す概略的平面図。
【図３】（Ａ）は図１のマッサージ機を左脚の下腿部に装着した状態を示す断面図。（Ｂ）は図１のマッサージ機を右脚の下腿部に装着した状態を示す断面図。
【符号の説明】
１…マッサージ機
１０…カフ（圧迫帯）
１３，１４…面ファスナー（保持手段）
１５…空気袋
１６…空気供給部
２０…駆動装置
６０Ｌ…左脚（人体の左側の施療部位）
６０Ｒ…右脚（人体の右側の施療部位）
【図１】
2004147948.tif 000003
【図２】
2004147948.tif 000004
【図３】
2004147948.tif 000005